(57)【要約】      （修正有）【課題】貼付した箇所の皮膚を確実に紫外線から護ることができる皮膚用紫外線遮蔽シートを提供する。【解決手段】皮膚用紫外線遮蔽シート１であって、一方の面に接着剤が塗布された紫外線遮蔽部材と、その紫外線遮蔽部材の接着剤塗布面に剥離可能に設けられた剥離部材１２、１３と、前記紫外線遮蔽部材の他方の面に剥離可能に設けられた保護部材１４と、を備える。【選択図】図１
0003153959.tif 000002
【実用新案登録請求の範囲】
【請求項１】
一方の面に接着剤が塗布された紫外線遮蔽部材と、
該紫外線遮蔽部材の接着剤塗布面に剥離可能に設けられた剥離部材と、
前記紫外線遮蔽部材の他方の面に剥離可能に設けられた保護部材と、
を備えることを特徴とする皮膚用紫外線遮蔽シート。
【請求項２】
前記紫外線遮蔽部材には、通気性のためのマイクロポーラスが施されていることを特徴とする請求項１に記載の皮膚用紫外線遮蔽シート。
【請求項３】
前記紫外線遮蔽部材は、厚さが０．００１ｍｍ乃至０．０５ｍｍであることを特徴とする請求項１又は２に記載の皮膚用紫外線遮蔽シート。
【請求項４】
前記紫外線遮蔽部材が、略透明であることを特徴とする請求項１乃至３の何れかの項に記載の皮膚用紫外線遮蔽シート。
【請求項５】
前記紫外線遮蔽部材が、伸縮性を有することを特徴とする請求項４に記載の皮膚用紫外線遮蔽シート。
【考案の詳細な説明】
【技術分野】
【０００１】
本考案は、紫外線が生体の皮膚に引き起こす悪影響を防ぐための皮膚用紫外線遮蔽シートに関する。
【背景技術】
【０００２】
紫外線とは、地球上に降り注ぐ太陽光線の一種で、波長が１０乃至４００ｎｍ、即ち可視光線より短く軟Ｘ線より長い波長の不可視光線の電磁波である。太陽光線に含まれる紫外線は、その波長によって、ＵＶ−Ａ、ＵＶ−Ｂ、ＵＶ−Ｃとに分けられる。
【０００３】
ＵＶ−Ａは危険性が一番小さいが、深く皮膚の中に浸透して皮膚を形成するコラーゲンの繊維にダメージを与えるため、シミやシワ等皮膚の加齢を促進してしまう。ＵＶ−Ｂは、ＤＮＡを損傷すると共に免疫機能を低下させ、皮膚ガンの原因となると言われている。ＵＶ−Ｃは、空気中の酸素分子とオゾン層で遮られるために、地表には届いていない。
【０００４】
生体の皮膚が紫外線に長時間曝されると、様々な疾患を引き起こすことが知られている。近年では、環境破壊の影響により紫外線量の増加も懸念されている。そのため、皮膚を紫外線から護る対策を各人が取る必要がある。
【０００５】
紫外線から皮膚を護る対策として一般的なものは、日中に日傘を差す、日焼け止めクリーム等の外用剤を肌に付ける、等が考えられる。
【考案の概要】
【考案が解決しようとする課題】
【０００６】
しかしながら、上記した日傘は降り注ぐ紫外線に対しては有効でも、路面等から反射した紫外線を防ぐことは不可能である。
【０００７】
また、日焼け止めクリーム等の外用剤は用法、用量が適切であれば効果が高いが、汗や衣服等との接触によって容易に落ちてしまうため、こまめな塗り直しが必要とされている。しかし、落ちてしまったか否かは視認では分からないため、うっかり塗り直しを怠り、その結果として紫外線に皮膚を曝し、日焼け等を起こしてしまうことも多い。
【０００８】
そこで本考案は、上記状況に鑑みて、貼付した箇所の皮膚を確実に紫外線から護ることができる皮膚用紫外線遮蔽シートを提供することを目的とする。
【課題を解決するための手段】
【０００９】
本考案は、上記課題を解決するために、一方の面に接着剤が塗布された紫外線遮蔽部材と、その紫外線遮蔽部材の接着剤塗布面に剥離可能に設けられた剥離部材と、前記紫外線遮蔽部材の他方の面に剥離可能に設けられた保護部材と、を備えることを特徴とする皮膚用紫外線遮蔽シートを提供する。
【００１０】
ここで、前記紫外線遮蔽部材には、通気性のためのマイクロポーラスが施されていることを特徴とする。また、前記紫外線遮蔽部材は、厚さが０．００１ｍｍ乃至０．０５ｍｍであるのが好適である。また、前記紫外線遮蔽部材は、略透明であるのが良い。さらに、前記紫外線遮蔽部材は、伸縮性を有する素材であるのが好適である。
【考案の効果】
【００１１】
本考案の皮膚用紫外線遮蔽シートによれば、貼付した箇所の皮膚を確実に紫外線から護ることが可能となる。
【図面の簡単な説明】
【００１２】
【図１】本考案の一実施形態に係る皮膚用紫外線遮蔽シートの概略を示す模式図である。
【図２】図１に示す皮膚用紫外線遮蔽シートの断面図である。
【図３】図１に示す皮膚用紫外線遮蔽シートを使用した状態を示す模式図である。
【図４】図１に示す皮膚用紫外線遮蔽シートの使用方法について説明する模式図（その１）である。
【図５】図１に示す皮膚用紫外線遮蔽シートの使用方法について説明する模式図（その２）である。
【図６】図１に示す皮膚用紫外線遮蔽シートの使用方法について説明する模式図（その３）である。
【考案を実施するための形態】
【００１３】
以下、本考案の実施の形態について、図面を参照しながら詳細に説明する。
【００１４】
図１は、本考案の一実施形態に係る皮膚用紫外線遮蔽シートの概略を示す模式図である。図１（ａ）は皮膚用紫外線遮蔽シートの表面、図１（ｂ）はその裏面を示している（ここでは便宜上、シートの露出側を表、皮膚貼付側を裏とする）。また、図２は、図１の皮膚用紫外線遮蔽シートのＡ−Ａ線断面図である。ここでは目の下部に貼付するための皮膚用紫外線遮蔽シートの例を図示している。
【００１５】
これらの図に示すように、本考案の皮膚用紫外線遮蔽シート（以下、単に「紫外線遮蔽シート」という）１は、皮膚に貼着させるための接着剤塗布面１１Ａを有する紫外線遮蔽部材１１と、その接着剤塗布面１１Ａを覆う剥離紙１２、１３と、紫外線遮蔽部材１１の表面を覆って保護する保護部材１４とから構成される。
【００１６】
紫外線遮蔽部材１１は、紫外線（少なくともＵＶ−Ａ、ＵＶ−Ｂ）カット率が高く（８０％以上、好適には９５％以上）、薄いフィルム状の部材である。例えば、紫外線吸収材、又は紫外線反射材を含むポリエステルフィルムを用いる。この紫外線遮蔽部材１１は、貼付した皮膚の動きに合わせて自然にフィットするよう、伸縮性に富む素材であるのが良い。
【００１７】
ここで、紫外線遮蔽部材１１には、通気性向上のために、その直径がミクロン単位の孔が１平方センチメートル当り少なくとも１００個程度施されたマイクロポーラスが施されていることを特徴とする。これにより、本皮膚用遮蔽シート１１を長時間貼付していても皮膚呼吸を妨げることなく、また、皮膚をかぶれさせることなく、貼付感に優れた皮膚用遮蔽シートの提供を可能としたのである。
【００１８】
また、その薄さは０．００１ｍｍ乃至０．０５ｍｍであるのが好適である。さらに、紫外線遮蔽部材１１は、着色されていたり、絵や模様、文字等がプリントされていても良いが、好ましくは肌に貼付した際に目立ち難いよう略透明とする。
【００１９】
紫外線遮蔽部材１１の裏面には、皮膚に接着する接着剤が塗布されている。そして、この接着剤塗布面１１Ａを剥離紙１２、１３で覆っている。なおここでは、接着剤塗布面１１Ａを覆う剥離紙を、位置決めしやすく剥がしやすいよう二枚設ける構成としているが、一枚、又はさらに複数枚で構成しても良い。またここでは、二枚の剥離紙１２、１３を剥がしやすくするため剥離紙１３に折返し部１３Ａを設けている。
【００２０】
紫外線遮蔽部材１１の表面には、非常に薄く軟らかい紫外線遮蔽部材１１を保護しつつ扱いを容易にするために、保護部材１４が設けられている。この保護部材１４には、紫外線遮蔽部材１１から剥がす際に把持するための把持片１４Ａが設けられている。
【００２１】
以下、上記構成を有する本考案の紫外線遮蔽シート１の使用方法について、図４乃至図６を参照しながら説明する。
【００２２】
まず、図４（ａ）に示すように、剥離紙１２を剥がして、接着剤塗布面１１Ａを一部露出させる。そして図４（ｂ）に示すように、接着剤塗布面１１Ａの一部が露出した状態で、紫外線遮蔽シート１を所定の部位（ここでは例として、目の下）に位置決めして貼り付ける。
【００２３】
さらに、図５（ａ）に示すように、残ったもう一枚の剥離紙１３を剥がし、図５（ｂ）に示すように、接着剤塗布面１１Ａ全体を皮膚に貼着する。
【００２４】
次いで、図６（ａ）に示すように、保護部材１４を紫外線遮蔽部材１１から剥がす。このようにして、紫外線遮蔽シート１を皮膚の所定の部位に配置する〔図６（ｂ）参照〕。
【００２５】
上記では、目の下に貼着して用いるのに適した形状の皮膚用紫外線遮蔽シートについて説明したが、このほか鼻や顔全体、腕等、それぞれに適した形状にすれば様々な部位に適用することができる。
【００２６】
上述のように、本考案の皮膚用紫外線遮蔽シートによれば、貼付した箇所の皮膚を確実に紫外線から護ることが可能となる。
【００２７】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２８】
本考案は、紫外線が生体の皮膚に引き起こす悪影響を防ぐための皮膚用紫外線遮蔽シートに関し、産業上の利用可能性を有する。
【符号の説明】
【００２９】
１      皮膚用紫外線遮蔽シート
１１    紫外線遮蔽部材
１１Ａ  接着剤塗布面
１２    剥離紙
１３    剥離紙
１３Ａ  折返し部
１４    保護部材
１４Ａ  把持片
【図１】
0003153959.tif 000003
【図２】
0003153959.tif 000004
【図３】
0003153959.tif 000005
【図４】
0003153959.tif 000006
【図５】
0003153959.tif 000007
【図６】
0003153959.tif 000008